(57)【要約】【課題】監視対象の設備の異常に関する警報処理の実行の有無を状況に応じて適切に定める。【解決手段】監視装置１の信号受信部１３が監視対象の送信装置からの異常通知信号を受信した場合、異常元判別部１４は異常通知信号の信号名を判別する。通知有無判別部１５が記憶装置１２の通知区分情報記憶部２２に記憶される通知区分情報をもとに異常通知信号の信号名がアラーム処理対象信号名であると判別した場合には、通知処理部１６は当該信号名で示される異常発生元での異常が発生した旨を示す画面中央へのウインドウ表示や音声出力などのアラーム処理を行なう。また、通知有無判別部１５が異常通知信号の信号名がアラーム処理対象信号名でないと判別した場合には、通知処理部１６は当該信号名で示される異常発生元に関わるアラーム処理を行なわない。【選択図】      図２
2009205526.tif 000002
【特許請求の範囲】
【請求項１】
監視対象の異常を検出する検出手段と、
前記監視対象について前記検出手段により検出した異常に関する警報処理の要否を示す情報を複数の監視形態のそれぞれについて定義する定義手段と、
前記複数の監視形態のいずれかを設定する設定手段と、
前記検出手段により異常を検出した場合に、前記設定手段により設定した監視形態における当該検出元の監視対象の異常に関する警報処理を要する旨を示す情報が前記定義手段により定義されているか否かを判別する判別手段と、
前記警報処理を要する旨を示す情報が定義されていると前記判別手段により判別した場合に前記検出元の監視対象の異常に関する警報処理を行ない、当該警報処理を要する旨を示す情報が定義されていないと前記判別手段により判別した場合に前記検出元の監視対象の異常に関する警報処理を行なわない警報処理手段と
を備えたことを特徴とする監視装置。
【請求項２】
前記定義手段により定義する情報の監視形態は監視員の監視担当区分であり、
前記設定手段は、前記警報処理手段による警報対象の監視員の監視担当区分を監視形態として設定する
ことを特徴とする請求項１に記載の監視装置。
【請求項３】
前記定義手段により定義する情報の監視形態は監視員による監視担当時間帯であり、
前記設定手段は、前記警報処理手段による警報対象の監視員の監視担当時間帯を監視形態として設定する
ことを特徴とする請求項１に記載の監視装置。
【請求項４】
前記判別手段による判別の結果、前記検出元の監視対象の異常についての前記警報処理手段による警報処理を行なわなかった場合に当該異常の検出元の監視対象の情報を管理する管理手段をさらに備え、
前記判別手段は、前記設定手段により監視時間帯を再度設定した場合に、当該設定した時間帯の監視形態における前記管理手段により管理する監視対象の異常に関する警報処理を要する旨を示す情報が前記定義手段により定義されているか否かをさらに判別する
ことを特徴とする請求項３に記載の監視装置。
【発明の詳細な説明】
【技術分野】
【０００１】
本発明は、例えば上水道および下水道の処理設備等の異常を監視する監視装置に関する。
【背景技術】
【０００２】
従来、水道処理設備等の監視制御システムは、監視員のヒューマンインタフェース装置（ＨＭＩ）と監視対象側のコントローラ（ＰＬＣ）とを接続して監視を行なう（例えば、特許文献１および特許文献２参照)。
【０００３】
ＰＬＣは監視対象である水道処理設備等の制御系の異常が認められると、異常を知らせる通知信号をＨＭＩに送信する。ＨＭＩはＰＬＣからの信号を受信すると、当該信号の送信元であるＰＬＣ側の制御系の異常に関する警報を監視員に行なう為に画面表示や音声出力といったアラーム処理を行なう。
【特許文献１】特開２００５−１９６４５５号公報
【特許文献２】特開２００１−１９５１２４号公報
【発明の開示】
【発明が解決しようとする課題】
【０００４】
昨今、市町村合併や省力化の推進により、従来は地域ごとに監視していた設備を広域監視制御システムによって一括で監視することが多くなっている。  
監視制御システムにおいて、異常を知らせる通知信号をＨＭＩが受信した場合に当該ＨＭＩによってアラーム処理を行なう必要がある場合とそうでない場合がある。
【０００５】
例えば、時間帯が夜間であって、通知信号の送信元であるＰＬＣによる監視対象の制御系の異常を知らせるアラーム処理がなされても、夜間で監視員の数が少ない場合は、当該制御系の復旧優先度が低い場合や、信号送信元つまり異常発生元の現場での復旧作業を監視員により行なうことが困難な場合にはアラーム処理をしても対応ができない場合がある。
【０００６】
そこで、従来の監視制御システムでは、ＨＭＩにおいて、ＰＬＣから入力される各信号について、ＨＭＩがアラーム処理を行なうか否かの設定を行なっている。
【０００７】
アラーム処理の有無の設定の具体例としては、スキャンオフ（信号受信データそのものの更新をしない）やモニタリングオフ（信号受信データは更新するがアラーム処理を行なわない）が挙げられる。
【０００８】
しかし、これらの設定は監視センタに複数のＨＭＩがある場合、全てのＨＭＩに共通した設定となっている。この場合、各ＨＭＩのそれぞれを取り扱う監視員の監視担当区分が異なっていても、アラーム処理の有無の設定が一括のため、担当外の信号を扱うなど、各監視員について適切な情報を知らせることができない。
【０００９】
また、昼間や夜間といった時間帯によってアラーム処理の有無の設定を切り替える場合には、アラームの有無を各信号について各々設定しなければならないので、設定のための手間が信号の点数に比例して多くなってしまう。
【００１０】
そこで、本発明の目的は、監視対象の設備の異常に関する警報処理の実行の有無を状況に応じて適切に定めることが可能になる監視装置を提供することにある。
【課題を解決するための手段】
【００１１】
すなわち、本発明に係わる監視装置は、監視対象の異常を検出する検出手段と、監視対象について検出手段により検出した異常に関する警報処理の要否を示す情報を複数の監視形態のそれぞれについて定義する定義手段と、複数の監視形態のいずれかを設定する設定手段とを備え、異常を検出した場合に設定済みの監視形態における当該異常の検出元の監視対象の異常に関する警報処理を要する旨を示す情報が定義手段により定義されている場合に当該監視対象についての警報処理を行ない、当該警報処理を要する旨を示す情報が定義されていないと前記判別手段が判別した場合に検出元の監視対象の異常に関する警報処理を行なわないことを特徴とする。
【発明の効果】
【００１２】
本発明によれば、監視対象の設備の異常に関する警報処理の実行の有無を状況に応じて適切に定めることができる。
【発明を実施するための最良の形態】
【００１３】
以下図面により本発明の実施形態について説明する。  
（第１の実施形態）
まず、本発明の第１の実施形態について説明する。  
図１は、本発明の第１の実施形態における監視システムの構成例を示すブロック図である。  
本発明の第１の実施形態における監視システムは浄水施設の制御系の監視員がいる浄水場の監視装置１，２、および前述した制御系の異常発生時に異常通知信号を送信する送信装置３，４，５を有する。
【００１４】
監視装置１，２はともにＺ浄水場の監視室に設置される。監視装置１はＺ浄水場の浄水監視担当である監視員が取り扱う監視装置であり、監視装置２は監視装置１の設置箇所と同じＺ浄水場の配水監視担当である監視員が取り扱う監視装置である。
【００１５】
送信装置３はＺ浄水場構内のａ地点の制御系の異常発生時に当該地点の異常発生を知らせる異常通知信号を監視装置１，２に送信する。送信装置４はＺ浄水場構内のｂ地点の制御系の異常発生時に当該地点の異常発生を知らせる異常通知信号を監視装置１，２に送信する。送信装置５はＺ浄水場構内のｃ地点の制御系の異常発生時に当該地点の異常発生を知らせる異常通知信号を監視装置１，２に送信する。各送信装置からは単一又は複数種類の異常通知信号が送信される。各送信装置からの異常通知信号には信号名情報が含まれる。信号名は異常発生元の設備の名称や当該設備の設置箇所名などの情報を示すものである。  
また、図１には示していないが、他の地点であるＤ地点やＥ地点にも送信装置が同様に設けられる。
【００１６】
図２は、本発明の第１の実施形態における監視システムの監視装置の構成例を示すブロック図である。図２では監視装置１について示しているが監視装置２についても同様である。  
各監視装置は、全体の処理動作を司る制御部１１、不揮発性メモリである記憶装置１２、信号受信部１３、異常元判別部１４、通知有無判別部１５、通知処理部１６、キーボードやマウスなどの入力装置１７、ディスプレイ装置などの表示装置１８、監視モード切り替え部１９およびスピーカなどの音声出力部２０を備え、それぞれがバス２１を介して相互に接続される。
【００１７】
信号受信部１３は送信装置３，４，５を含む各送信装置からの異常通知信号を入力する。  
異常元判別部１４は信号受信部１３により受信した異常通知信号の信号名を判別する。
【００１８】
通知有無判別部１５は、異常元判別部１４により判別した信号名がアラーム処理対象の信号名であるか否かを判別する。アラーム処理とは信号名で示される異常発生元での異常を監視員に報知するための警報処理であり、異常発生元での異常を監視員に強調して知らせるための表示装置１８への表示処理や音声出力部２０による音声出力処理である。
【００１９】
通知処理部１６は、前述した信号名がアラーム処理対象の信号名であると通知有無判別部１５が判別した場合には判別済みの信号名で示される異常発生元に関するアラーム処理を行ない、前述した信号名がアラーム処理対象の信号名でないと通知有無判別部１５が判別した場合にはアラーム処理を行なわずに判別済みの信号名で示される異常発生元での異常に関する通常表示処理を行なう。通常表示処理ではアラーム処理と比較して音声出力処理が無く、信号名で示される異常発生元が例えば表示装置１８での画面の下部に小さく表示されることになる。
【００２０】
監視モード切り替え部１９は入力装置１７への操作にしたがって監視装置１による監視モードを切り替える。本実施形態では各監視装置のそれぞれにおいて監視モードを個別に設定できる。
【００２１】
図３は、本発明の第１の実施形態における監視システムの監視装置が管理する通知区分情報の構成例を表形式で示す図である。  
記憶装置１２は通知区分情報記憶部２２を備える。通知区分情報記憶部２２には各監視モードの識別名とアラーム対象信号名とが関連付けられて管理するための通知区分情報が記憶される。図３に示したアラーム対象信号名「Ａ」〜「Ｅ」の信号は図１に示した送信装置３から送信される信号であり、送信装置４，５から送信される信号は信号名が「Ａ」〜「Ｅ」以外の信号である。
【００２２】
通知有無判別部１５は通知区分情報において関連付けられる監視モードにおいて異常通信信号の信号名がアラーム対象信号名に含まれる場合には当該信号名で示される異常発生元に関するアラーム処理が必要と判別し、含まれない場合には当該異常発生元に関するアラーム処理が不要であると判別する。
【００２３】
本実施形態では、監視モードは浄水監視モードと配水監視モードとに区分される。浄水監視モードは監視装置を取り扱う監視員、つまりアラーム処理による警報対象の監視員の監視担当分野が浄水監視担当である場合に設定するモードであり、配水監視モードは監視装置を取り扱う監視員の監視担当分野が配水監視担当である場合に設定するモードである。
【００２４】
図３に示した通知区分情報では、現在の監視モードが浄水監視モードである場合において、異常通知信号の信号名が浄水監視モードについてアラーム対象信号名として定められた信号名「Ａ」，「Ｂ」，「Ｅ」などのいずれかである場合には当該信号名で示される異常発生元がアラーム処理対象であり、当該信号名が浄水監視モードについてアラーム対象信号名として定められた信号名でない場合には当該信号名で示される異常発生元が通常表示処理対象であることを示す。
【００２５】
図３に同じく示した通知区分情報では、現在の監視モードが配水監視モードである場合において、異常通知信号の信号名が配水監視モードについてアラーム対象信号名として定められた「Ｃ」，「Ｄ」，「Ｅ」などのいずれかである場合には当該信号名で示される異常発生元がアラーム処理対象であり、当該信号名が配水監視モードについてアラーム対象信号名として定められた信号名でない場合には当該信号名で示される異常発生元が通常表示処理対象であることを示す。
【００２６】
図３に示した例では、信号名「Ａ」，「Ｂ」は浄水監視モードのみについてアラーム対象信号名として定められた信号名であり、配水監視モードについてのアラーム対象信号名には含まれない。また、信号名「Ｃ」，「Ｄ」は配水監視モードのみについてアラーム対象信号名として定められた信号名であり、浄水監視モードについてのアラーム対象信号名には含まれない。
【００２７】
つまり、異常通知信号の信号名が浄水監視モードのみについてアラーム対象信号名として定められた信号名である場合における、当該信号の受信に伴うアラーム処理は監視モードが浄水監視モードである監視装置だけでなされ、異常通知信号の信号名が配水監視モードのみについてアラーム対象信号名として定められた信号名である場合における、当該信号の受信に伴うアラーム処理は監視モードが配水監視モードである監視装置だけでなされる。
【００２８】
また、異常通知信号の信号名が浄水監視モードおよび配水監視モードの両方についてアラーム対象信号名として定められた信号名である場合における、当該信号の受信に伴うアラーム処理は監視モードが浄水監視モードである監視装置および配水監視モードである監視装置の両方でなされる。
【００２９】
また、記憶装置１２の通知区分情報記憶部２２に記憶される通知区分情報は入力装置１７への操作により更新することができるので、設備増強がなされたりして監視対象の信号名が追加された場合に容易に対応することができる。
【００３０】
図４は、本発明の第１の実施形態における監視システムの監視装置により表示する監視モード設定画面の第１の表示例を示す図である。  
図５は、本発明の第１の実施形態における監視システムの監視装置により表示する監視モード設定画面の第２の表示例を示す図である。  
監視員が取り扱い対象の各監視装置の入力装置１７を所定の手順により操作すると監視モード設定画面が表示装置１８に表示される。当該モード設定画面では「浄水監視モード」と表記されるアイコンおよび「配水監視モード」と表記されるアイコンが表示される。
【００３１】
図４に示すように、画面上の「浄水監視モード」のアイコンが入力装置１７による入力操作により選択され、同画面に表示されるＯＫアイコンが選択されると、監視モード切り替え部１９は自装置の監視モードが浄水監視モードである旨を示す情報を記憶装置１２に記憶する。
【００３２】
また、図５に示すように、画面上の「配水監視モード」のアイコンが入力装置１７による入力操作により選択され、同画面に表示されるＯＫアイコンが選択されると、監視モード切り替え部１９は自装置の監視モードが配水監視モードである旨を示す情報を記憶装置１２に記憶する。これにより監視モードの設定が完了する。
【００３３】
次に、図１に示した構成の監視システムの動作について説明する。図６は、本発明の第１の実施形態における監視システムの監視装置による処理動作の一例を示すフローチャートである。ここでは監視装置１の処理動作を説明する。  
まず、監視装置１の信号受信部１３が送信装置３，４，５を含む送信装置から単一または複数種類の異常通知信号を受信した場合には（ステップＳ１）、異常元判別部１４は当該受信した異常通知信号の信号名を判別する（ステップＳ２）。
【００３４】
通知有無判別部１５は現在の監視モードの情報を記憶装置１２から読み出して認識する（ステップＳ３）。そして、通知有無判別部１５は記憶装置１２の通知区分情報記憶部２２から通知区分情報を読み出し（ステップＳ４）、当該通知区分情報において、異常元判別部１４により判別した信号名がステップＳ３の処理で認識済みの監視モードの識別名に対応付けられるアラーム対象信号名に含まれるか否かを判別することで、受信済みの異常通知信号の信号名がアラーム処理対象の信号名であるか否かを判別する（ステップＳ５）。
【００３５】
ステップＳ５の処理の具体例を説明する。現在の監視モードが浄水監視モードである場合、通知区分情報上において当該浄水監視モードに関するアラーム対象信号名には図３に示した例では「Ａ」，「Ｂ」，「Ｅ」が含まれる。
【００３６】
この場合、受信済みの異常通知信号の信号名が「Ａ」である場合には、当該信号名は現在の監視モードに関するアラーム対象信号名に含まれるので、通知有無判別部１５は当該信号名で示される異常発生元がアラーム処理対象であると判別する（ステップＳ５のＹＥＳ）。
【００３７】
図７は、本発明の第１の実施形態における監視システムの監視装置により表示する異常通知画面の第１の表示例を示す図である。  
この場合、通知処理部１６は、信号名「Ａ」で示される異常発生元異常を示す大きなメッセージウインドウを生成して図７に示すように表示装置１８上の画面の中央に表示させ、かつ当該異常発生元での異常を示す警報音やメッセージを生成して音声出力部２０に出力させるアラーム処理を行なう（ステップＳ６）。画面上の「確認」と表示されたアイコンが入力装置１７への操作により選択されるとメッセージウインドウは閉じられる。
【００３８】
図８は、本発明の第１の実施形態における監視システムの監視装置により表示する異常通知画面の第２の表示例を示す図である。  
一方、受信済みの異常通知信号の信号名が「Ｃ」である場合には、当該信号名は現在の監視モードである浄水監視モードに関するアラーム対象信号名に含まれないので、通知有無判別部１５は当該信号名で示される異常発生元がアラーム処理対象でないと判別する（ステップＳ５のＮＯ）。
【００３９】
この場合、通知処理部１６は前述したアラーム処理を行なわず、信号名「Ｃ」で示される異常発生元での異常を示す小さなメッセージウインドウを生成して図８に示すように表示装置１８上の画面の下部に表示させる通常表示処理を行なう（ステップＳ７）。
【００４０】
以上のように、本発明の第１の実施形態における監視システムでは、送信装置の設置箇所である各信号名について、当該設置箇所からの異常通知信号受信時のアラーム処理の要否を監視モードごとに設定しておき、異常通知信号の受信時は当該信号の信号名が現在の監視モードにおけるアラーム対象信号名に該当する場合に当該信号名で示される異常発生元での異常を示すアラーム処理を行なう一方で、該当しない場合にはアラーム処理を行なわない。
【００４１】
よって、各監視装置を取り扱う監視員は、自己の監視担当分野に関わる監視モードを取り扱い先の監視装置で設定すれば当該監視担当分野において異常発生元として把握する必要のある情報のみを表示装置１８や音声出力部２０により明確に把握することができる。
【００４２】
一方、異常通知信号で示される異常発生元が自己の監視担当分野において異常発生元として把握する必要がない場合はアラーム処理がなされない。よって監視員は画面表示された異常発生元が自己の監視担当分野において把握する必要のある異常発生元であるか否かを確認する必要がなくなる。  
つまり、監視員は把握する必要のある異常の有無を監視できるようになる一方、監視する必要のない異常の有無を監視する必要がなくなる。
【００４３】
そして、各監視装置について、各信号の監視体制が変化して当該監視装置を取り扱う監視員の監視担当分野が変更になった場合や、監視担当分野が異なる別の監視員が当該監視装置を新たに取り扱うことになった場合でも、当該監視装置を取り扱う監視員の担当監視分野に対応した監視モードを設定すれば、監視員により必要な信号だけの異常の有無を引き続き監視できるようになる。よって、監視員による監視作業の省力化を図ることが可能となるとともに業務の煩雑化の解消を図ることが可能となる。
【００４４】
また、各種の監視担当分野の監視員は、複数の監視装置のうち取り扱い先の監視装置について自己の監視担当分野に関わる監視モードを設定すれば適切な監視が行なえるので、各監視員について取り扱い対象の監視装置の設置箇所を定めておく必要がなくなる。
【００４５】
本実施形態で説明した監視モードは２種類であるが、複数であれば種類の数は限定されず、例えば浄水監視担当の監視員による監視対象と配水監視担当の監視員による監視対象のうち夜間用の重要な監視対象を纏めて監視するための夜間監視モードをさらに設けてもよい。この場合、夜間の監視員が監視モードを夜間監視モードに切り替えれば、前述した夜間用の監視対象を既に述べた浄水監視担当や配水監視担当の区別無く監視できる。
【００４６】
（第２の実施形態）
次に、本発明の第２の実施形態について説明する。なお、以下の各実施形態に係る間システムの構成のうち第１の実施形態で示したものと同一部分の説明は省略する。  
図９は、本発明の第２の実施形態における監視システムの構成例を示すブロック図である。  
本発明の第２の実施形態における監視システムは浄水施設の監視員の第１の配備箇所であるＺ浄水場の監視装置３１、監視員の第２の配備箇所である監視事務所の監視装置３２、および前述した各地点の制御系の異常発生時の異常通知信号を送信する送信装置３，４，５を有する。
【００４７】
監視装置３１はＺ浄水場の監視室に設置され、監視装置３２はＺ浄水場から離れた監視事務所に設置される。監視装置３１はＺ浄水場の監視員が取り扱う監視装置であり、監視装置３２は監視事務所の監視員が取り扱う監視装置である。
【００４８】
本実施形態では、昼間と夜間とで監視作業をＺ浄水場と監視事務所との間で分担して行なっている。具体的には、Ｚ浄水場では昼間のみに監視員が監視作業を行なっており、当該監視員は、昼間の監視作業の開始時に監視装置３１での監視モードを昼間監視モードに切り替える一方で、昼間の監視作業が終了して夜間になると監視装置３１での監視モードを夜間監視モードに切り替える。
【００４９】
また、監視事務所では夜間のみに監視員が監視装置３２を用いた監視作業を行なっており、当該監視員は夜間の監視作業の開始時に監視装置３２での監視モードを夜間監視モードに切り替える一方で、夜間の監視作業が終了して昼間になると監視装置３２での監視モードを昼間監視モードに切り替える。
【００５０】
図１０は、本発明の第２の実施形態における監視システムの監視装置が管理する通知区分情報の構成例を表形式で示す図である。  
本実施形態では、監視モードは昼間監視モードと夜間監視モードとに区分される。昼間監視モードは監視員が監視装置を取り扱う時間帯が昼間である場合に設定するモードであり、夜間監視モードは監視員が監視装置を取り扱う時間帯が夜間である場合に設定するモードである。
【００５１】
図１０に示した通知区分情報では、現在の監視モードが昼間監視モードである場合において、異常通知信号の信号名が昼間監視モードについてアラーム対象信号名として定められた信号名「Ａ」，「Ｂ」，「Ｃ」，「Ｄ」，「Ｅ」などのいずれかである場合には当該信号名で示される異常発生元での異常がアラーム処理対象であり、当該信号名が昼間監視モードについてアラーム対象信号名として定められた信号名でない場合には当該信号名で示される異常発生元での異常が通常表示処理対象であることを示す。
【００５２】
また、図１０に示した通知区分情報では、現在の監視モードが夜間監視モードである場合において、異常通知信号の信号名が夜間監視モードについてアラーム対象信号名として定められた信号名「Ａ」，「Ｄ」，「Ｅ」などのいずれかである場合には当該信号名で示される異常発生元での異常がアラーム処理対象であり、当該信号名が夜間監視モードについてアラーム対象信号名として定められた信号名でない場合には当該信号名で示される異常発生元での異常が通常表示処理対象であることを示す。
【００５３】
図１０に示した例では、信号名「Ａ」，「Ｂ」は昼間監視モードのみについてアラーム対象信号名として定められた信号名であり、夜間監視モードについてのアラーム対象信号名には含まれない。また、信号名「Ｃ」，「Ｄ」,「Ｅ」は昼間監視モードおよび夜間監視モードの両方についてアラーム対象信号名として定められた信号名である。
【００５４】
つまり、異常通知信号の信号名が昼間監視モードのみについてアラーム対象信号名として定められた信号名である場合における、当該信号の受信に伴うアラーム処理は監視モードが昼間監視モードである監視装置だけでなされる。  
また、異常通知信号の信号名が昼間監視モードおよび夜間監視モードの両方についてアラーム対象信号名として定められた信号名である場合における、当該信号の受信に伴うアラーム処理は監視モードが昼間監視モードである監視装置および監視モードが夜間監視モードである監視装置の両方でなされる。
【００５５】
図１１は、本発明の第２の実施形態における監視システムの監視装置により表示する監視モード設定画面の第１の表示例を示す図である。  
図１２は、本発明の第２の実施形態における監視システムの監視装置により表示する監視モード設定画面の第１の表示例を示す図である。  
監視員が取り扱い対象の各監視装置の入力装置１７を所定の手順により操作すると監視モード設定画面が表示装置１８に表示される。当該モード設定画面では「昼間監視モード」と表記されるアイコンおよび「夜間監視モード」と表記されるアイコンが表示される。
【００５６】
図１１に示すように、画面上の「昼間監視モード」のアイコンが入力装置１７による入力操作により選択され、同画面に表示されるＯＫアイコンが選択されると、監視モード切り替え部１９は自装置の監視モードが昼間監視モードである旨を示す情報を記憶装置１２に記憶する。
【００５７】
また、図１２に示すように、画面上の「夜間監視モード」のアイコンが入力装置１７による入力操作により選択され、同画面に表示されるＯＫアイコンが選択されると、監視モード切り替え部１９は自装置の監視モードが夜間監視モードである旨を示す情報を記憶装置１２に記憶する。これにより監視モードの設定が完了する。
【００５８】
次に、図９に示した構成の監視システムの動作について説明する。ここではＺ浄水場側の監視装置３１の処理動作を説明する。図１３は、本発明の第２の実施形態における監視システムの監視装置による処理動作の一例を示すフローチャートである。  
まず、第１の実施形態で説明したステップＳ１からステップＳ４までの処理がなされ、通知有無判別部１５は、ステップＳ４の処理で読み出し済みの通知区分情報において、異常元判別部１４が判別した信号名が現在の監視モードに対応付けられるアラーム対象信号名に含まれるか否かを判別することで、受信済みの異常通知信号の信号名がアラーム処理対象の信号名であるか否かを判別する。
【００５９】
この判別の具体例を説明する。通知有無判別部１５は、認識済みの監視モードが夜間監視モードである場合、通知区分情報上において当該夜間監視モードに関するアラーム対象信号名は図１０に示した例では「Ｃ」，「Ｄ」，「Ｅ」である。
【００６０】
この場合、受信済みの異常通知信号の信号名が「Ｃ」である場合には、当該信号名は現在の監視モードに関するアラーム対象異常信号名に含まれるので、判別済み信号名で示される異常発生元がアラーム処理対象であると判別する。そして、第１の実施形態で説明したステップＳ６の処理、つまり信号名「Ｃ」で示される異常発生元での異常に関するアラーム処理がなされる。
【００６１】
一方、通知有無判別部１５は、受信済みの異常通知信号の信号名が「Ｂ」である場合には、当該信号名は現在の監視モードに関するアラーム対象異常信号名に含まれないので、判別済みの信号名で示される異常発生元がアラーム処理対象でないと判別する。そして、第１の実施形態で説明したステップＳ７の処理、つまり信号名「Ｂ」で示される異常発生元での異常に関する通常表示処理がなされる。
【００６２】
通知有無判別部１５は、通常表示処理の後、受信済みの異常通知信号の信号名のうち、当該通常表示処理の対象とした信号名の情報を記憶装置１２に保持する（ステップＳ１１）。
【００６３】
通知有無判別部１５は、監視モード切り替え部１９が入力装置１７への操作にしたがって監視モードを再び切り替えた場合には（ステップＳ１２）、ステップＳ１１の処理で保持した信号名の情報を記憶装置１２から読み出す（ステップＳ１３）。
【００６４】
そして、通知有無判別部１５はステップＳ３の処理と同じく、現在の監視モードの情報を記憶装置１２から読み出すことで認識する。そして、通知有無判別部１５は記憶装置１２の通知区分情報記憶部２２から通知区分情報を読み出し、当該通知区分情報において、ステップＳ１３の処理で読み出した信号名が認識済みの監視モードに対応付けられるアラーム対象信号名に含まれるか否かを判別することで、受信済みの異常通知信号の信号名で示される異常発生元がアラーム処理対象であるか否かを判別する。そして、通知有無判別部１５による判別結果により異常通知信号の信号名で示される異常発生元信号の異常に関するアラーム処理または通常表示処理がなされる。
【００６５】
以上のように、本発明の第２の実施形態における監視システムでは、送信装置の設置箇所である各信号名について、当該箇所からの異常通知信号受信時のアラーム処理の要否をアラーム対象信号名として昼間監視モードおよび夜間監視モードのそれぞれについて設定しておき、異常通知信号の受信時は当該信号の送信元である信号名が現在の監視モードにおけるアラーム対象信号名に該当する場合に当該信号名で示される異常発生元での異常を示すアラーム処理を行ない、該当しない場合にはアラーム処理を行なわない。
【００６６】
よって、Ｚ浄水場の監視装置を３１や監視事務所の監視装置３２を取り扱う監視員は、現在の時間帯つまり自身の監視担当時間帯に関わる監視モードを取り扱い先の監視装置で設定しておけば、当該時間帯において異常発生元として把握する必要のある異常発生元のみを表示装置１８や音声出力部２０により明確に把握することができる。
【００６７】
一方、現在の時間帯において把握する必要のない異常発生元での異常についてはアラーム処理がなされないので、監視員は表示画面に表示される異常発生元が現在の時間帯において異常発生元として把握する必要があるか否かを確認する必要がなくなる。よって、監視員は第１の実施形態と同様、異常把握する必要のある異常の有無を監視できるようになる一方で、監視する必要のない異常の有無を監視する必要がなくなる。
【００６８】
また、監視事務所での夜間の監視時における当直の監視員の人数は昼間のＺ浄水場の監視員の人数より少ない場合には、夜間の監視員が昼間と同じ数の異常発生元異常を監視すると過重な監視を強いることになる。しかし、監視事務所での監視装置３２では図１０に示したようにアラーム対象信号名を重要な信号名のみに絞り込むように通知区分情報を設定しているので、その他の比較的重要でない異常発生元での異常にともなう異常通知信号の受信時は当該受信タイミングが昼間である場合のみにアラーム処理がなされるため、夜間の監視体制に過重な負担をかけないで済む。
【００６９】
また、通常表示処理後にステップＳ１１以降の処理を行なうことで、異常信号受信時における監視モードによってアラーム処理の対象とならなかった信号名は、監視モードが他の監視モードに切り替えられた際のアラーム処理の対象であれば、当該信号名で示される異常発生元での異常を監視員に明確に知らせることができる。
【００７０】
この第２の実施形態では、時間帯が切り替わった場合に監視モードを監視員による操作に従って昼間監視モードおよび夜間監視モードの間で切り替えると説明したが、これに限らず監視装置に計時装置を搭載し、当該計時装置が計時する時刻が属する時間帯によって監視モードを自動的に切り替えるようにしてもよい。
【００７１】
（第３の実施形態）
次に、本発明の第３の実施形態について説明する。図１４は、本発明の第３の実施形態における監視システムの構成例を示すブロック図である。  
本発明の第３の実施形態における監視システムは浄水施設の監視員の配置箇所であるＺ浄水場の監視装置４１、および前述した制御系の異常発生時の異常通知信号を送信する送信装置３，４，５を有する。  
監視装置４１はＺ浄水場の監視室に設置される。監視装置４１はＺ浄水場の昼間勤務の監視員および夜間勤務の監視員が共用で取り扱う監視装置である。
【００７２】
本実施形態では、昼間と夜間とでＺ浄水場での監視作業の体制を切り替えている。具体的には、Ｚ浄水場では昼間には昼間勤務の監視員が監視装置４１を用いた監視作業を行なっており、夜間では夜間勤務の監視員が同じ監視装置４１を用いた監視作業を行なっている。
【００７３】
本実施形態では、第２の実施形態と同じく、監視モードは昼間監視モードと夜間監視モードに区分される。昼間監視モードは昼間勤務の監視員が夜間勤務の監視員との間の監視作業引継ぎ時に設定するモードであり、夜間監視モードは夜間勤務の監視員が昼間勤務の監視員との間の監視作業引継ぎ時に設定するモードである。
【００７４】
本発明の第３の実施形態では通知区分情報は図１０に示した構成と同じであり、監視モード設定画面は図１１や図１２に示した画面と同じである。したがって、監視装置４１の処理動作は第２の実施形態で説明したＺ浄水場の監視装置３１の動作と同じである。
【００７５】
以上のように、本発明の第３の実施形態における監視システムでは、第２の実施形態と同様に、送信装置の設置箇所である各信号名について、当該箇所からの異常通知信号受信時のアラーム処理の要否をアラーム対象信号名として昼間監視モードおよび夜間監視モードのそれぞれについて設定しておくので、監視装置４１を取り扱う昼間勤務の監視員や夜間勤務の監視員は、自身の監視担当時間帯に関わる監視モードを取り扱い先の監視装置４１で設定すれば、当該時間帯において把握する必要のある異常発生元での異常を表示装置１８や音声出力部２０により明確に把握することができる。
【００７６】
また、現在の時間帯において監視員が把握する必要のない異常発生元での異常についてはアラーム処理がなされないので、監視員は第２の実施形態と同様、表示画面に表示される異常発生元が現在の時間帯において異常発生元として把握する必要があるか否かを確認する必要がなくなる。
【００７７】
また、夜間のＺ浄水場での監視員の人数が昼間の当該Ｚ浄水場の監視員の人数より少ない場合には監視員が昼間と同じ数の異常発生元での異常を監視すると過重な監視を強いることになるが、第２の実施形態と同様、夜間の監視体制に過重な負担をかけないで済む。
【００７８】
また、各実施形態では、アラーム処理において異常通知信号の信号名で示される異常発生元を監視装置で表示させたが、これに限らず、例えば異常通知信号に異常発生元での異常の詳細を示す情報を含ませて、この詳細を示す情報をアラーム処理において監視装置側でさらに表示させてもよい。
【００７９】
また、各実施形態では、各地点の送信装置から異常通知信号を送信したが、これに代えて、各地点からは水位や電圧値などの各種制御値の監視装置への送信を行ない、監視装置では送信された制御値と基準値との比較によって異常を検出する構成であってもよい。
【００８０】
なお、この発明は前記実施形態そのままに限定されるものではなく実施段階ではその要
旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００８１】
【図１】本発明の第１の実施形態における監視システムの構成例を示すブロック図。
【図２】本発明の第１の実施形態における監視システムの監視装置の構成例を示すブロック図。
【図３】本発明の第１の実施形態における監視システムの監視装置が管理する通知区分情報の構成例を表形式で示す図。
【図４】本発明の第１の実施形態における監視システムの監視装置により表示する監視モード設定画面の第１の表示例を示す図。
【図５】本発明の第１の実施形態における監視システムの監視装置により表示する監視モード設定画面の第２の表示例を示す図。
【図６】本発明の第１の実施形態における監視システムの監視装置による処理動作の一例を示すフローチャート。
【図７】本発明の第１の実施形態における監視システムの監視装置により表示する異常通知画面の第１の表示例を示す図。
【図８】本発明の第１の実施形態における監視システムの監視装置により表示する異常通知画面の第２の表示例を示す図。
【図９】本発明の第２の実施形態における監視システムの構成例を示すブロック図。
【図１０】本発明の第２の実施形態における監視システムの監視装置が管理する通知区分情報の構成例を表形式で示す図。
【図１１】本発明の第２の実施形態における監視システムの監視装置により表示する監視モード設定画面の第１の表示例を示す図。
【図１２】本発明の第２の実施形態における監視システムの監視装置により表示する監視モード設定画面の第１の表示例を示す図。
【図１３】本発明の第２の実施形態における監視システムの監視装置による処理動作の一例を示すフローチャート。
【図１４】本発明の第３の実施形態における監視システムの構成例を示すブロック図。
【符号の説明】
【００８２】
１，２，３１，３２，４１…監視装置、３，４，５…送信装置、１１…制御部、１２…記憶装置、１３…信号受信部、１４…異常元判別部、１５…通知有無判別部、１６…通知処理部、１７…入力装置、１８…表示装置、１９…監視モード切り替え部、２０…音声出力部、２１…バス、２２…通知区分情報記憶部。
【図１】
2009205526.tif 000003
【図２】
2009205526.tif 000004
【図３】
2009205526.tif 000005
【図４】
2009205526.tif 000006
【図５】
2009205526.tif 000007
【図６】
2009205526.tif 000008
【図７】
2009205526.tif 000009
【図８】
2009205526.tif 000010
【図９】
2009205526.tif 000011
【図１０】
2009205526.tif 000012
【図１１】
2009205526.tif 000013
【図１２】
2009205526.tif 000014
【図１３】
2009205526.tif 000015
【図１４】
2009205526.tif 000016